(57)【要約】【課題】  異なる種類の外部機器に対応させることが容易な照明制御装置を提供する。【解決手段】  光源の明るさに関わる情報を取得する明るさセンサ５と、明るさセンサ５により取得された情報に基づき調光信号を生成する制御部８と、制御部８により生成された調光信号を照明装置が取得可能な信号に変換して照明装置へ送信する調光信号出力回路１１とを備え、制御部８と調光信号出力回路１１とはそれぞれ異なった回路基板上に構成され、制御部８により生成された調光信号を調光信号出力回路１１へ供給する接続部１７を備えた。【選択図】      図２
2006147383.tif 000002
【特許請求の範囲】
【請求項１】
光源を発光させる照明装置に対して光源の明るさを指示する指示信号を出力する照明制御装置であって、
光源の明るさに関わる情報を取得するセンサ部と、
前記センサ部により取得された情報に基づき前記指示信号を生成する制御部と、
前記制御部により生成された指示信号を前記照明装置が取得可能な信号に変換して前記照明装置へ送信するインターフェイス部とを備え、
前記制御部と前記インターフェイス部とは、それぞれ異なった回路基板上に構成され、
前記制御部により生成された指示信号を前記インターフェイス部へ供給する接続部を備えることを特徴とする照明制御装置。
【発明の詳細な説明】
【技術分野】
【０００１】
本発明は、照明装置に対して光源の明るさを指示する照明制御装置に関する。
【背景技術】
【０００２】
図８は、背景技術に係る照明器具と、照明器具の明るさを制御する照明制御装置とを備えた照明システムを説明するための説明図である。図８に示す照明システム１０１は、複数の照明器具１０２と、複数の照明器具１０２の明るさを指示する調光信号を出力する照明制御装置１０３と、ユーザによる照明器具１０２の明るさを指示する操作指示を受け付けて、その操作指示を赤外線通信で照明制御装置１０３へ送信するリモコン装置１０４とを備えている。照明制御装置１０３は、床面からの反射光を検知する明るさセンサ１０５と、リモコン装置１０４から送信された操作指示を受信するリモコン受信部１０６とを備えている。
【０００３】
そして、照明制御装置１０３は、リモコン受信部１０６により受信されたユーザからの操作指示に応じた明るさにするべく、照明器具１０２のランプ出力による床面からの反射光を明るさセンサ１０５により検出し、その検出量を照明器具１０２へ出力される調光信号にフィードバックする。これにより、照明制御装置１０３は、床面等の被照射面の明るさをユーザからの操作指示に応じた明るさに制御するようになっている（例えば、特許文献１参照。）。
【０００４】
また、照明制御装置１０３は、外部機器、例えば壁面に取り付けられた調光スイッチから受信した調光信号を中継して照明器具１０２へ出力したり、例えば壁スイッチ等の接点スイッチのオン、オフに応じて照明器具１０２の点灯、消灯を制御したり、あるいは通信線によって接続された他の照明制御装置１０３との間で通信を行って連係動作をしたりするものがある。照明制御装置１０３は、これら調光スイッチ、壁スイッチ、あるいは他の照明制御装置１０３等の外部機器との間で信号を入出力するインターフェイス回路を備えている。そして、インターフェイス回路により入出力される信号を処理する制御回路と、インターフェイス回路とは、単一の制御回路基板上に構成されている。
【特許文献１】特開２００２−１５１２７８号公報
【発明の開示】
【発明が解決しようとする課題】
【０００５】
ところで、上述のように、照明制御装置１０３に接続される外部機器の種類が異なると、これらの機器との間で入出力される信号の形態が異なるため、インターフェイス回路もまた異なる。そうすると、制御回路とインターフェイス回路とが単一の回路基板上に構成されているため、照明制御装置１０３を異なる種類の外部機器に対応させるためには、制御回路を含んだ制御回路基板を変更する必要があり、汎用性に欠けるという不都合があった。
【０００６】
本発明は、このような問題に鑑みて為された発明であり、異なる種類の外部機器に対応させることが容易な照明制御装置を提供することを目的とする。
【課題を解決するための手段】
【０００７】
上述の目的を達成するために、本発明に係る照明制御装置は、光源を発光させる照明装置に対して光源の明るさを指示する指示信号を出力する照明制御装置であって、光源の明るさに関わる情報を取得するセンサ部と、前記センサ部により取得された情報に基づき前記指示信号を生成する制御部と、前記制御部により生成された指示信号を前記照明装置が取得可能な信号に変換して前記照明装置へ送信するインターフェイス部とを備え、前記制御部と前記インターフェイス部とは、それぞれ異なった回路基板上に構成され、前記制御部により生成された指示信号を前記インターフェイス部へ供給する接続部を備えることを特徴としている。
【発明の効果】
【０００８】
このような構成の照明制御装置は、制御部によって、センサ部により取得された光源の明るさに関わる情報に基づき照明装置に対する指示信号が生成され、その指示信号がインターフェイス部によって照明装置が取得可能な信号に変換されて照明装置へ送信される。そして、制御部とインターフェイス部とは、それぞれ異なった回路基板上に構成されているので、取得可能な信号の形式が異なる外部機器に対して指示信号を出力する場合であっても、インターフェイス部が構成された回路基板を変更することにより当該外部機器が取得可能な信号によって指示信号を出力することができ、異なる種類の外部機器に対応させることが容易となる。
【発明を実施するための最良の形態】
【０００９】
以下、本発明に係る実施形態を図面に基づいて説明する。なお、各図において同一の符号を付した構成は、同一の構成であることを示し、その説明を省略する。図１は、本発明の一実施形態に係る照明制御装置を用いた照明システムの構成の一例を説明するための説明図である。図１に示す照明システム１は、複数の照明器具２と、複数の照明器具２の明るさを指示する調光信号を出力する照明制御装置３と、ユーザが照明器具２の明るさを指示する操作指示を受け付けて、その操作指示を無線通信、例えば赤外線通信で照明制御装置３へ送信するリモコン装置４とを備えている。そして、照明制御装置３と複数の照明器具２とは、照明制御装置３から出力された調光信号を伝達する信号配線Ｌ１によって接続されている。また、照明制御装置３には、ユーザによる調光指示を受け付ける調光器ＬＣと、壁スイッチＳＷ１とが接続されている。
【００１０】
図２は、本発明の第１の実施形態に係る照明制御装置の構成の一例を示すブロック図である。図２に示す照明制御装置３は、明るさセンサ５と、リモコン受信部６と、人感センサ７と、制御部８と、不揮発性メモリの一例であるＥＥＰＲＯＭ（Electrically Erasable and Programmable Read Only Memory）９と、電源回路１０と、調光信号出力回路１１と、外部調光信号入力回路１２と、外部接点入力回路１３とを備えている。また、電源回路１０は電源回路基板Ｂ１上に構成され、明るさセンサ５とリモコン受信部６と制御部８とＥＥＰＲＯＭ９とは制御基板Ｂ２上に構成され、調光信号出力回路１１と外部調光信号入力回路１２と外部接点入力回路１３とはインターフェイス基板Ｂ３上に構成され、人感センサ７はセンサ基板Ｂ４上に構成されている。
【００１１】
そして、電源回路基板Ｂ１と制御基板Ｂ２との間は接続部１６によって接続され、制御基板Ｂ２とインターフェイス基板Ｂ３との間は接続部１７（接続部）によって接続され、制御基板Ｂ２とセンサ基板Ｂ４との間は接続部１８によって接続されている。接続部１６，１７，１８は、例えばコネクタやフラットケーブル等の接続手段である。また、インターフェイス基板Ｂ３には、信号配線Ｌ１と接続され、照明器具２へ信号配線Ｌ１を介して調光信号を出力するための端子台１９と、外部機器、例えば調光器ＬＣから調光信号を受信するための端子台２０と、接点スイッチ、例えば壁スイッチＳＷ１が接続される端子台２１とが設けられている。
【００１２】
電源回路１０は、制御部８や明るさセンサ５等、照明制御装置３内の各部の動作用電源電圧Ｖｐを供給する電源回路で、例えば外部から供給された商用電源電圧に基づいて動作用電源電圧Ｖｐを生成するものであってもよく、例えば電池を用いて動作用電源電圧Ｖｐを出力するものであってもよい。
【００１３】
接続部１６は、電源回路１０によって生成された動作用電源電圧Ｖｐを電源回路基板Ｂ１から制御基板Ｂ２の電源配線パターンへ供給する。明るさセンサ５は、例えば光電変換する受光素子を備えて構成され、床面からの反射光を検知して、その反射光の明るさを示す照度検知信号を制御部８へ出力する。リモコン受信部６は、リモコン装置４から無線通信、例えば赤外線通信により送信された操作指示を受信し、その受信した操作指示を制御部８へ出力する。ＥＥＰＲＯＭ９には、予め照明制御装置３の動作を制御するための制御プログラムが記憶されている。人感センサ７は、例えば赤外線を検知する赤外線センサを備えて構成され、人の在、不在を検知して、人の在、不在を示す人検知信号を、接続部１８を介して制御部８へ出力する。
【００１４】
制御部８は、例えばマイクロコンピュータ、ＡＤ変換器、及び信号入出力ポート（以下、Ｉ／Ｏポートと略称する）等を備えて構成された制御回路であり、ＥＥＰＲＯＭ９に記憶されている制御プログラムを実行することにより、リモコン受信部６から出力された操作指示と明るさセンサ５から出力された照度検知信号と人感センサ７から出力された人検知信号とに基づいて、照明器具２の明るさを制御するべく調光信号を、接続部１７を介して調光信号出力回路１１へ出力する。接続部１７は、制御部８から出力された調光信号をインターフェイス基板Ｂ３へ供給すると共に、動作用電源電圧Ｖｐを制御基板Ｂ２の電源配線パターンからインターフェイス基板Ｂ３へ供給する。接続部１８は、人感センサ７から出力された人検知信号を制御基板Ｂ２へ供給すると共に、動作用電源電圧Ｖｐを制御基板Ｂ２の電源配線パターンからセンサ基板Ｂ４へ供給する。
【００１５】
調光信号出力回路１１は、制御部８から出力された調光信号を、信号配線Ｌ１を介して照明器具２へ出力するための信号駆動回路で、例えばトランジスタ出力回路や汎用の信号駆動用ＩＣ（Integrated Circuit）等が用いられる。
【００１６】
図３は、外部調光信号入力回路１２の構成の一例を説明するための回路図である。図３に示す外部調光信号入力回路１２は、フォトカプラＰＨＣ１の入力端子が抵抗Ｒ１を介して調光器ＬＣに接続されている。そして、フォトカプラＰＨＣ１の出力側トランジスタのエミッタがグラウンドに接続され、コレクタが接続部１７を介して制御部８におけるＡＤ変換器８１に接続されると共に、コンデンサＣ１を介してグラウンドに接続されている。また、フォトカプラＰＨＣ１における出力側トランジスタのコレクタには、抵抗Ｒ２を介して動作用電源電圧Ｖｐが供給されている。
【００１７】
調光器ＬＣは、ユーザによる調光指示を受け付けて、その調光指示に応じたデューティの矩形波信号を調光信号として出力する。例えば、調光器ＬＣは、調光比９０％の調光指示を受け付けた場合、オンデューティ９０％の矩形波信号を外部調光信号入力回路１２へ出力し、調光比３０％の調光指示を受け付けた場合、オンデューティ３０％の矩形波信号を外部調光信号入力回路１２へ出力する。
【００１８】
図４は、外部接点入力回路１３の構成の一例を説明するための回路図である。図４に示す外部接点入力回路１３は、フォトカプラＰＨＣ２における入力側発光ダイオードのアノードに抵抗Ｒ３を介して動作用電源電圧Ｖｐが供給され、フォトカプラＰＨＣ２における入力側発光ダイオードのカソードが、端子台２１における一の端子２１１に接続されている。そして、端子２１１は、スイッチＳＷ１を介して端子台２１における他の端子２１２に接続され、端子２１２はグラウンドに接続されている。
【００１９】
また、フォトカプラＰＨＣ２の出力側トランジスタのエミッタがグラウンドに接続され、コレクタが接続部１７を介して制御部８におけるＩ／Ｏポート８２に接続されると共に、抵抗Ｒ４によってプルアップされている。
【００２０】
次に、上述のように構成された照明制御装置３の動作について説明する。まず、ユーザがリモコン装置４を操作して照明器具２の明るさを指示する操作指示を入力すると、その操作指示が例えば赤外線通信により照明制御装置３におけるリモコン受信部６で受信され、その操作指示が制御部８へ出力される。そうすると、制御部８において、照明器具２を点灯させるべき明るさの目標値が設定される。そして、制御部８から調光信号出力回路１１へ、明るさの目標値で照明器具２を点灯させるべく調光信号が出力される。さらに、調光信号出力回路１１によって、照明器具２が取得可能な信号形態に変換された調光信号が、端子台１９及び信号配線Ｌ１を介して照明器具２へ出力され、照明器具２の明るさが調光される。
【００２１】
そして、明るさセンサ５によって、照明器具２からの光が床面から反射した反射光が検知され、その反射光の明るさを示す照度検知信号が制御部８へ出力される。さらに、制御部８によって、明るさセンサ５からの照度検知信号で示される明るさを、明るさの目標値と一致させるべくフィードバック制御が行われ、フィードバック制御が反映された調光信号が、接続部１７、調光信号出力回路１１、端子台１９、及び信号配線Ｌ１を介して照明器具２へ出力され、照明器具２の明るさが目標値となるように制御される。
【００２２】
さらに、制御部８によって、人感センサ７から出力された人検知信号に応じて、すなわち人の在、不在に応じて、例えば人が居る場合には照明器具２の明るさを明るくするべく照明器具２へ調光信号が出力され、人が不在の場合には照明器具２の明るさを暗くするべく照明器具２へ調光信号が出力される。
【００２３】
この場合、例えば、照明制御装置３を、人感センサ７を備えない構成にする場合には、人感センサ７を備えるセンサ基板Ｂ４と制御基板Ｂ２とは別基板であって、接続部１８により接続されているので、接続部１８から人感センサ７を取り外すことにより電源回路基板Ｂ１、制御基板Ｂ２、及びインターフェイス基板Ｂ３に変更を加えることなく人感センサ７を備えない構成に変更することができ、照明制御装置３の汎用性を向上させることができる。
【００２４】
また、人感センサ７を他の種類のセンサに変更する場合であっても、電源回路基板Ｂ１、制御基板Ｂ２、及びインターフェイス基板Ｂ３に変更を加えることなくセンサ基板Ｂ４のみを変更することにより、センサの種類を変更することができるので、照明制御装置３の汎用性を向上させることができる。
【００２５】
なお、明るさセンサ５は、制御基板Ｂ２上に設ける代わりにセンサ基板Ｂ４上に設けてもよい。
【００２６】
次に、図３を参照して、ユーザによって、調光器ＬＣが操作され、調光器ＬＣによってユーザによる調光指示が受け付けられると、調光器ＬＣから調光指示に応じた調光比率を指示する調光信号が端子台２０を介して外部調光信号入力回路１２へ出力される。調光器ＬＣは、調光比率を例えば矩形波信号のデューティを変化させることにより表すようにされており、例えば調光比率３０％であればオンデューティ３０％の信号を調光信号として出力し、調光比率５０％であればオンデューティ５０％の信号を調光信号として出力するようになっている。
【００２７】
従って、調光器ＬＣによって、例えば調光比率５０％にする旨の調光指示が受け付けられると、調光器ＬＣから端子台２０と抵抗Ｒ１とを介してデューティ５０％の矩形波信号が、フォトカプラＰＨＣ１へ出力され、フォトカプラＰＨＣ１によって絶縁され、抵抗Ｒ２とコンデンサＣ１とによって平滑され、電圧レベルに変換されて制御部８におけるＡＤ変換器８１へ出力される。この場合、矩形波信号のデューティ比率、すなわち調光比率に応じた電圧がＡＤ変換器８１へ出力され、調光比率を表すデジタル値に変換される。
【００２８】
次に、制御部８によって、ＡＤ変換器８１で得られた調光比率に応じた調光信号が接続部１７、調光信号出力回路１１、端子台１９、及び信号配線Ｌ１を介して照明器具２へ出力され、照明器具２の明るさが調光器ＬＣによって受け付けられた調光比率となるように制御される。
【００２９】
次に、図４を参照して、ユーザによって、壁スイッチＳＷ１がオンされると、動作用電源電圧Ｖｐを出力する電源回路１０から抵抗Ｒ３、フォトカプラＰＨＣ２、端子２１１、壁スイッチＳＷ１、端子２１２を経由してグラウンドに至る電流経路が構成され、フォトカプラＰＨＣ２の一次側に電流が流れて二次側の出力トランジスタがオンする。そうすると、Ｉ／Ｏポート８２はグラウンドレベルにされ、制御部８によってローレベルの信号が取得される。一方、ユーザによって、壁スイッチＳＷ１がオフされると、フォトカプラＰＨＣ２の一次側には電流が流れないので二次側の出力トランジスタがオフする。そうすると、Ｉ／Ｏポート８２は抵抗Ｒ４によってプルアップされ、制御部８によってハイレベルの信号が取得される。
【００３０】
これにより、外部接点入力回路１３は、外部に接続された無電圧接点、例えば壁スイッチＳＷ１などの手動式スイッチやリレースイッチなどのオン、オフ状態をハイ、ローの信号レベルに変換して、制御部８へ出力するようにされている。
【００３１】
次に、制御部８によって、例えば外部接点入力回路１３からの出力信号がローレベルでＩ／Ｏポート８２により受信されると、照明器具２を消灯させるべく、例えば調光比率０％を指示する調光信号が接続部１７、調光信号出力回路１１、端子台１９、及び信号配線Ｌ１を介して照明器具２へ出力され、照明器具２が消灯される。
【００３２】
図５は、本発明の一実施形態に係る照明制御装置を用いた照明システムの他の構成例を説明するための説明図である。図５に示す照明システム１ａは、複数の照明器具２と、複数の照明器具２の明るさを指示する調光信号を出力する照明制御装置３ａと、リレー端末２２と、調光上下端末２３と、スイッチ端末２４と、親機２５とを備えている。
【００３３】
照明制御装置３ａ、リレー端末２２、調光上下端末２３、スイッチ端末２４、及び親機２５の各端末装置には、各端末を識別するためのアドレスが付与されており、通信ケーブルＬ２によって相互に通信可能に接続されている。リレー端末２２は、照明制御装置３ａから通信ケーブルＬ２を介して受信した制御指示に応じて照明器具２の電源をオン、オフする通信機能を備えたリレースイッチ端末である。調光上下端末２３は、ユーザが照明器具２の明るさを指示する操作指示を受け付けると共にその操作指示を、通信ケーブルＬ２を介して照明制御装置３ａへ送信する通信機能を備えた操作端末である。
【００３４】
スイッチ端末２４は、ユーザによる照明器具２のオン、オフ指示を受け付けて、受付られたオン、オフ指示を通信ケーブルＬ２を介して照明制御装置３ａへ送信する通信機能を備えた操作端末である。親機２５は、照明制御装置３ａと、リレー端末２２と、調光上下端末２３と、スイッチ端末２４とによる通信を調停する制御端末である。
【００３５】
図６は、図５に示す照明制御装置の一例を示すブロック図である。図６に示す照明制御装置３ａは、図２に示す照明制御装置３とは、インターフェイス基板Ｂ３の代わりにインターフェイス基板Ｂ５を備える点で異なる。インターフェイス基板Ｂ５は、図２に示すインターフェイス基板Ｂ３とは、外部調光信号入力回路１２及び外部接点入力回路１３の代わりに通信Ｉ／Ｆ回路１４と通信制御部１５とを備える点で異なる。
【００３６】
通信Ｉ／Ｆ回路１４は、通信ケーブルＬ２を介してリレー端末２２、調光上下端末２３、スイッチ端末２４、及び親機２５等の他の通信端末との間でこれら通信端末が取得可能な通信信号を送受信するための通信インターフェイス回路である。
【００３７】
通信制御部１５は、例えばマイクロコンピュータを備えて構成されており、他の通信端末と共通の通信プロトコルを実行して通信を行う制御部である。そして、通信制御部１５は、通信プロトコルに基づいて、通信Ｉ／Ｆ回路１４を介して調光上下端末２３から受信された調光指示やスイッチ端末２４から受信されたオン、オフ指示を接続部１７を介して制御部８へ出力したり、制御部８からのリレー端末２２をオン、オフさせる旨のオンオフ指示を、所定の通信プロトコルによって通信Ｉ／Ｆ回路１４により通信ケーブルＬ２を介してリレー端末２２へ送信させたりする。
【００３８】
図６に示す照明制御装置３ａは、通信Ｉ／Ｆ回路１４と通信制御部１５とを備えることによって、通信機能を有する外部機器である調光上下端末２３やスイッチ端末２４から得られた調光指示やオン、オフ指示に基づいて照明器具２の明るさを制御するべく調光信号を出力したり、リレー端末２２へオン、オフ指示を送信して照明器具２の電源をオン、オフすることが可能にされている。
【００３９】
そして、照明制御装置３ａは、図２に示す照明制御装置３とは、ハードウェア構成において電源回路基板Ｂ１と、制御基板Ｂ２と、センサ基板Ｂ４とが共通し、インターフェイス基板Ｂ５のみが異なるので、照明制御装置３におけるインターフェイス基板Ｂ３をインターフェイス基板Ｂ５に変更することにより異なる種類の外部機器であるリレー端末２２、調光上下端末２３、及びスイッチ端末２４に対応することができ、異なる種類の外部機器に対応させることが容易である。
【００４０】
図７は、図６に示す照明制御装置３ａを用いた照明システムの他の一例を示す説明図である。図７に示す照明システム１ｂは、複数の照明制御装置３ａが通信ケーブルＬ２によって相互に通信可能に接続されており、各照明制御装置３ａは、通信Ｉ／Ｆ回路１４と通信制御部１５とを用いて相互に通信を行うことにより、複数の照明制御装置３ａが連携動作するように構成されている。
【００４１】
なお、図２に示す照明制御装置３及び図６に示す照明制御装置３ａにおける、調光信号出力回路１１と、外部調光信号入力回路１２と、外部接点入力回路１３と、通信Ｉ／Ｆ回路１４及び通信制御部１５と、のうちいずれか一つを備えた構成や、調光信号出力回路１１と、外部調光信号入力回路１２と、外部接点入力回路１３と、通信Ｉ／Ｆ回路１４及び通信制御部１５とのうちいずれかを組み合わせた構成に変更する場合であっても、インターフェイス基板Ｂ３のみを変更することにより実現することができるので、異なる種類の外部機器の組み合わせに対応させることが容易となる。
【図面の簡単な説明】
【００４２】
【図１】本発明の一実施形態に係る照明制御装置を用いた照明システムの構成の一例を説明するための説明図である。
【図２】本発明の第１の実施形態に係る照明制御装置の構成の一例を示すブロック図である。
【図３】図２に示す外部調光信号入力回路の構成の一例を説明するための回路図である。
【図４】図２に示す外部接点入力回路の構成の一例を説明するための回路図である。
【図５】本発明の一実施形態に係る照明制御装置を用いた照明システムの他の構成例を説明するための説明図である。
【図６】図５に示す照明制御装置の一例を示すブロック図である。
【図７】図６に示す照明制御装置を用いた照明システムの他の一例を示す説明図である。
【図８】背景技術に係る照明器具と、照明器具の明るさを制御する照明制御装置とを備えた照明システムを説明するための説明図である。
【符号の説明】
【００４３】
１，１ａ，１ｂ  照明システム
２    照明器具
３，３ａ  照明制御装置
４    リモコン装置
５    明るさセンサ
６    リモコン受信部
７    人感センサ
８    制御部
１０  電源回路
１１  調光信号出力回路
１２  外部調光信号入力回路
１３  外部接点入力回路
１４  通信Ｉ／Ｆ回路
１５  通信制御部
１６，１７，１８  接続部
１９，２０，２１  端子台
２２  リレー端末
２３  調光上下端末
２４  スイッチ端末
２５  親機
８１  ＡＤ変換器
８２  Ｉ／Ｏポート
Ｂ１  電源回路基板
Ｂ２  制御基板
Ｂ３，Ｂ５  インターフェイス基板
Ｂ４  センサ基板
【図１】
2006147383.tif 000003
【図２】
2006147383.tif 000004
【図３】
2006147383.tif 000005
【図４】
2006147383.tif 000006
【図５】
2006147383.tif 000007
【図６】
2006147383.tif 000008
【図７】
2006147383.tif 000009
【図８】
2006147383.tif 000010